(57)【特許請求の範囲】
【請求項１】
動物を捕獲するための捕獲空間を具備する檻本体と、
前記捕獲空間への動物の進入が可能なように前記檻本体に設けられる開口部と、
前記開口部の近傍に配され、上下方向に延設されるガイド部材と、
上下方向に併設させた複数の線状部材を含む柵状パネルで構成され、前記ガイド部材に案内されて上下方向にスライド移動するスライド扉と
を備え、動物が前記捕獲空間内に進入した場合に前記スライド扉が当該ガイド部材に案内されて落下することにより前記開口部を閉状態とする動物捕獲檻において、
上下方向における所定の位置にて前記柵状パネルの前記線状部材を係合する係合部を具備し、前記スライド扉を上方向にスライド移動させる途中、前記線状部材のそれぞれに対して前記係合部による係合を施すことによって、上下方向における複数位置で当該スライド扉を停止させる停止手段と、
動物が前記捕獲空間内に進入した場合に、前記停止手段による前記スライド扉の停止状態を解除して当該スライド扉を落下させる停止解除手段と
を備え、
前記係合部が、上下方向に揺動可能な揺動部を具備しており、前記スライド扉を上方向にスライド移動させる場合に当該揺動部が上方向に揺動することによって前記線状部材の係合状態を解除し、当該スライド扉の上方向へのスライド移動が停止した場合に当該揺動部が揺動して元の方向に戻ることによって前記線状部材を再係合するように構成されていることを特徴とする、動物捕獲檻。
【請求項２】
前記停止解除手段によって前記停止状態が解除される場合、前記係合部が、前記揺動部を下方向に揺動することによって前記線状部材の係合状態を解除するように構成されている、
請求項１に記載の動物捕獲檻。
【請求項３】
前記停止解除手段が、前記捕獲空間内に配置された仕掛けラインを具備しており、当該捕獲空間内に侵入した動物によって当該仕掛けラインが引かれた場合に、それに連動して前記停止状態を解除するように構成されている、
請求項１又は２に記載の動物捕獲檻。
【発明の詳細な説明】
【技術分野】
【０００１】
本発明は、野山に生息する害獣等の動物を捕獲するために用いる動物捕獲檻に関する。
【背景技術】
【０００２】
従来、野山に生息する有害鳥獣を捕獲する手段として、種々の動物捕獲檻が提案されている。例えば、特許文献１には、矩形状に形成された檻本体と、該檻本体の両側面に形成された開口部と、該開口部に設けられた上下動するスライド扉とを備え、その捕獲檻に、スライド扉を開閉自在に操作する扉開閉装置を設置した動物捕獲檻が開示されている。スライド扉の下端付近には、檻本体の上部に配置される扉開閉装置の軸体を挿脱させるロック部が設けられている。この動物捕獲檻を使用する場合、スライド扉の下端が檻本体の上端に位置するまでスライド扉を上昇させた後、扉開閉装置の軸体をスライド扉のロック部に挿入することにより、開口部の開状態を維持する。この状態において、動物が檻本体内に侵入することによってその檻本体内に配置されている扉開閉装置の下端部が移動した場合、その移動に連動して上記の軸体がスライド扉のロック部から引き抜かれ、スライド扉が自重で下降して開口部が閉状態となり、動物を捕獲することができる。
【０００３】
また、特許文献２にも、上記の動物捕獲檻と同様の形状の檻本体と、その檻本体の一側面に形成された開口部と、その開口部に設けられた昇降枠に沿って昇降可能なスライド扉とを備える動物捕獲檻が開示されている。この動物捕獲檻の場合、スライド扉の上端にロープの基端が連結されており、スライド扉を昇降枠に沿って上昇させた状態で、そのロープが昇降枠の上端に位置する連結梁を半周し後方斜め下方に向かって延出されることにより、スライド扉がロープによって後方から牽引される。これにより、開口部の開状態が維持される。この状態において、動物が檻本体内に侵入して当該檻本体内に配置されたトラップラインが引かれた場合、それに連動して上記の牽引状態が解かれ、スライド扉が自重で昇降枠に沿って下降し、動物を捕獲することができる。
【先行技術文献】
【特許文献】
【０００４】
【特許文献１】特開２００１−１２８６１０号公報
【特許文献２】実用新案登録第３１０２０４５号
【発明の概要】
【発明が解決しようとする課題】
【０００５】
上述した従来の動物捕獲檻はいずれも、使用する際に、スライド扉の下端が檻本体の上端に位置する程度までスライド扉を上昇させるセッティング作業が必要となる。動物捕獲檻におけるスライド扉は、捕獲した動物が衝突しても破損することがないように鉄等の強固な材質で構成されており、相当程度の重量を有している。そのため、上記のセッティング作業を行うことは容易ではなく、相当程度の腕力のある者でなければ対応することが難しいという問題があった。
【０００６】
本発明は斯かる事情に鑑みてなされたものであり、その主たる目的は、上記課題を解決することができる動物捕獲檻を提供することにある。
【課題を解決するための手段】
【０００７】
上述した課題を解決するために、本発明の一の態様の動物捕獲檻は、動物を捕獲するための捕獲空間を具備する檻本体と、前記捕獲空間への動物の進入が可能なように前記檻本体に設けられる開口部と、前記開口部の近傍に配され、上下方向に延設されるガイド部材と、上下方向に併設させた複数の線状部材を含む柵状パネルで構成され、前記ガイド部材に案内されて上下方向にスライド移動するスライド扉とを備え、動物が前記捕獲空間内に進入した場合に前記スライド扉が当該ガイド部材に案内されて落下することにより前記開口部を閉状態とする動物捕獲檻において、上下方向における所定の位置にて前記柵状パネルの前記線状部材を係合する係合部を具備し、前記スライド扉を上方向にスライド移動させる途中、前記線状部材のそれぞれに対して前記係合部による係合を施すことによって、上下方向における複数位置で当該スライド扉を停止させる停止手段と、動物が前記捕獲空間内に進入した場合に、前記停止手段による前記スライド扉の停止状態を解除して当該スライド扉を落下させる停止解除手段とを備え、前記係合部が、上下方向に揺動可能な揺動部を具備しており、前記スライド扉を上方向にスライド移動させる場合に当該揺動部が上方向に揺動することによって前記線状部材の係合状態を解除し、当該スライド扉の上方向へのスライド移動が停止した場合に当該揺動部が揺動して元の方向に戻ることによって前記線状部材を再係合するように構成されていることを特徴とする。
【００１０】
また、この態様において、前記停止解除手段によって前記停止状態が解除される場合、前記係合部が、前記揺動部を下方向に揺動することによって前記線状部材の係合状態を解除するように構成されていてもよい。
【００１１】
また、この態様において、前記停止解除手段が、前記捕獲空間内に配置された仕掛けラインを具備しており、当該捕獲空間内に侵入した動物によって当該仕掛けラインが引かれた場合に、それに連動して前記停止状態を解除するように構成されていてもよい。
【発明の効果】
【００１２】
本発明に係る動物捕獲檻によれば、スライド扉を上昇させるセッティング作業を容易に行うことが可能になる。
【図面の簡単な説明】
【００１３】
【図１】本発明の実施の形態に係る動物捕獲檻の構成を示す斜視図。
【図２】柵ユニットの構成を示す正面図。
【図３】柵ユニットの連結方法を示す模式図。
【図４】扉ユニットの構成を示す正面図。
【図５】扉ユニットの構成を示す側面図。
【図６】スライド扉の構成を示す正面図。
【図７】扉開閉装置の上部の構成を示す平面図。
【図８】扉開閉装置の下部の構成を示す図７のＡ−Ａ線断面図。
【図９Ａ】スライド扉を停止させる場合における扉停止装置の側面図。
【図９Ｂ】スライド扉を上昇させる場合における扉停止装置の側面図。
【図１０】本発明の実施の形態に係る動物捕獲檻の構成を示す斜視図。
【図１１】スライド扉が落下する場合における扉停止装置の側面図。
【発明を実施するための形態】
【００１４】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１５】
図１は、本実施の形態に係る動物捕獲檻１の構成を示す斜視図である。図１に示すように動物捕獲檻１は、４枚の長方形状の柵ユニット１０〜１０と、２枚の扉ユニット２０，２０とを備えている。柵ユニット１０〜１０の長辺同士が連結されることにより、矩形状の檻本体２が形成される。この檻本体２において、柵ユニット１０の長手方向で対向する両側面は開口部となっており、その開口部に扉ユニット２０，２０がそれぞれ配設されている。
【００１６】
図２は、柵ユニット１０の構成を示す正面図である。また、図３は、隣り合う柵ユニット１０の連結方法を示す模式図である。図２に示すように、柵ユニット１０は、直径６ｍｍの鉄線が等間隔になるよう縦横に直角に配設され、それらの鉄線の各交点が溶接された溶接金網１０ａと、溶接金網１０ａの長辺に沿って溶接される直径１０ｍｍの連結鉄筋線１０ｂ，１０ｂと、同じく短辺に沿って溶接される直径１０ｍｍの連結鉄筋線１０ｃ、１０ｃとを備えるパネル状ユニットである。各柵ユニット１０の長辺同士が連結される場合、図３に示すように、隣り合う柵ユニット１０，１０それぞれの連結鉄筋線１０ｂ，１０ｂに各ユニットを連結するための連結部材である連結コイル１２が巻き付けられる。これにより、連結鉄筋線１０ｂ，１０ｂが結束され、隣り合う柵ユニット１０，１０が連結される。このようにして４枚の柵ユニット１０〜１０が連結されることによって檻本体２が形成される。
【００１７】
図４及び図５はそれぞれ、扉ユニット２０の構成を示す正面図及び側面図である。扉ユニット２０は、上下方向にスライド移動するスライド扉２１と、スライド扉２１のスライド移動を案内するためのガイド枠２２と、ガイド枠２２の前側に設けられる柵部２３とを備えている。
【００１８】
ガイド枠２２は、上下方向に延設された２本の支柱２２ａ，２２ａと、支柱２２ａ，２２ａの中間よりも上側の中途部分を連結する中間連結梁２２ｂと、同じく上端部分を連結する上端連結梁２２ｃと、同じく下端部分を連結する下端連結梁（図示せず）とで構成されている。なお、中間連結梁２２の左右方向の中央部上側には、スライド扉２１のスライド移動を停止するための扉停止装置４０が設けられている。この扉停止装置４０の詳細については後述する。
【００１９】
柵部２３は、２本の縦アングル及びそれらの上下両端を連結する２本の横アングルで構成されている。この柵部２３とガイド枠２２とは、スライド扉２４の厚みよりも少し長い距離を隔てて、６つのブラケット２１１〜２１１により連結されている。スライド扉２４は、これらのガイド枠２１と柵部２３との間に設けられた間隙に配され、ガイド枠２２及び柵部２３に沿って上下方向にスライド移動する。
【００２０】
図６は、スライド扉２１の構成を示す正面図である。スライド扉２１は、直径６ｍｍの鉄線が等間隔になるよう縦横に直角に配されて鉄線の各交点が溶接された溶接金網２１ａと、溶接金網２１ａを補強する直径１０ｍｍの鉄筋線２１ｂとを有する。鉄筋線２１ｂは、溶接金網２１ａの四辺を取り囲むようにして、溶接金網２１ａに溶接される。
【００２１】
なお、図５に示すように、各支柱２２ａ，２２ａの後部には上下方向に延びる連結鉄筋線２１２が溶接されている。この各扉ユニット２０の連結鉄筋線２１２と側面の柵ユニット１０の短辺に設けられた連結鉄筋線１０ｃとが、上述した場合と同様にして連結コイル１２によって結束される。これにより、各扉ユニット２０が、側面の柵ユニット１０に連結される。
【００２２】
上述したように、本実施の形態では、各柵ユニット１０及び扉ユニット２０が、連結鉄筋線を連結部材で結束することにより連結される。このため、容易に且つ短時間で組み立てたり、分解したりすることができる。なお、各ユニットの各側縁部を連結部材のみにより結束することとした場合、従来用いられているボルト止め又は通し部材等による連結のように堅固なものではなく、ある程度の弾力を有する弾性的な連結となる。このように、隣接する各ユニットそれぞれの側縁部は弾性的に連結されるため、動物捕獲檻１全体は軟構造となる。これにより、檻本体２内で捕獲された動物が、脱出するために暴れて側面部に衝撃が加わったとしても、各ユニットの連結箇所でその衝撃を吸収することができ、動物捕獲檻１の大きな変形や破損等を防ぐことができる。
【００２３】
また、従来用いられているボルト止め又は通し部材等の連結部材による連結の場合、堅固に各構成部材を連結するために、構成部材に強い衝撃が加わる等によって周縁部が変形すると、それに伴って連結部材も変形してしまい、解体が困難となってしまう。一方、本実施の形態では、連結部材は連結鉄筋線を結束しているだけであるため、連結鉄筋線に変形が生じた場合であっても、連結部材は当該変形に対応して回転等の移動をすることが可能である。これにより、連結鉄筋線が変形した場合でも、連結部材が大きく変形することを防ぐことができる。また、たとえ連結部材が大きく変形してしまった場合であっても、当該連結部材は連結鉄筋線を結束するように連結鉄筋線に巻き付けられているだけであるため、容易に取り外すことができる。
【００２４】
［扉開閉装置］
図１に示すとおり、上面の柵ユニット１０の中央領域には、スライド扉２１の開閉動作を制御するための扉開閉装置３０の上部が設けられている。また、この扉開閉装置３０の下部は、檻本体２の内部に設けられている。以下、この扉開閉装置３０の詳細について説明する。
【００２５】
図７は扉開閉装置３０の上部の構成を示す平面図であり、図８はその下部の構成を示す図７のＡ−Ａ線断面図である。図７に示すとおり、扉開閉装置３０は、平行して延びる鉄製の２枚の第１長板状部材３１，３１及び同じく２枚の第２長板状部材３２，３２と、鉄製の第３長板状部材３３と、回動機構３４とを備えている。第１長板状部材３１，３１は、上面の柵ユニット１０上で、その柵ユニット１０の短辺方向と平行する方向に延設されている。第２長板状部材３２，３２は、同じく柵ユニット１０上で、第１長板状部材３１，３１と交差する方向に延設されており、これら第１長板状部材３１，３１を連結している。また、第３長板状部材３３は、同じく柵ユニット１０上で、第２長板状部材３２，３２と交差する方向に延設されており、これら第２長板状部材３２，３２を連結している。
【００２６】
図７及び図８に示すとおり、回動機構３４は、上面の柵ユニット１０と平行に延びる円筒状の可動部３４ａと、その可動部３４ａの中央下部にその上端が接合された軸体３４ｂとを備えている。軸体３４ｂは、軸中心に回動自在となるように第３長板状部材３３に取り付けられている。軸体３４ｂが軸中心に回動することによって、可動部３４ａは軸体３４ｂとの接合部を中心として上面の柵ユニット１０と平行な方向に回動する。
【００２７】
図８に示すように、軸体３４ｂは、第３長板状部材３３を貫通して檻本体２内に延びており、その下端側は側方に屈曲するようにＬ字形に形成されている。軸体３４ｂの下端は、上面の柵ユニット１０の適宜の箇所に固定された棒状の固定部３５の中途部分とともに、塩化ビニール製のパイプ３６内に収容される。これにより、軸体３４ｂの下端はパイプ３６を介して固定部３５により固定されることになり、その結果軸体３４ｂの回動が規制される。
【００２８】
パイプ３６の回動機構３４から離反する方向側の端面上部には、仕掛けライン５１の一端が連結されている。仕掛けライン５１は檻本体２内に延出され、一方の側面の柵ユニット１０の金網を経由した後、その他端が他方の側面の柵ユニット１０に締結される。なお、檻本体２内に侵入した動物が仕掛けライン５１に触れることができるように、仕掛けライン５１は、底面の柵ユニット１０から少し浮いた位置でその柵ユニット１０と平行に延びる部分を有している。ここで、檻本体２内に動物が進入することにより仕掛けライン５１が図面中の方向（ａ）に引かれた場合、パイプ３６も同じく方向（ａ）に引かれ、軸体３４ｂの下端がパイプ３６から外れる。これにより、軸体３４ｂの下端の固定状態が解除され、軸体３４ｂが回動可能な状態となる。
【００２９】
なお、動物捕獲檻１のセッティング作業において、仕掛けライン５１の他端を柵ユニット１０の鉄線に締結する際等に、軸体３４ｂがパイプ３６から外れないようにする必要がある。そのため、例えばパイプ３６及び第３板状部材３３のそれぞれの適宜の位置に貫通孔を設け、それらの貫通孔に棒状部材を挿通すること等によって、パイプ３６の位置を固定しておくことが望ましい。この場合、セッティング作業終了後に、この棒状部材を抜き取ることにより、パイプ３６を方向（ａ）に移動可能な状態にすることになる。
【００３０】
［扉停止装置］
次に、スライド扉２１のスライド移動を停止させるための扉停止装置４０の詳細について説明する。上述したように、扉停止装置４０は、扉ユニット２０の中間連結梁２２の中央部上側に突設されている。図９Ａは、扉停止装置４０の構成を示す側面図である。図９Ａに示すとおり、扉停止装置４０は、扉ユニット２０の中間連結梁２２ｂ上に突設された上下方向に延びる長板状の支持部材４２と、上下方向に揺動可能に支持部材４２に取り付けられた揺動アーム４１とを備えている。
【００３１】
支持部材４２は、所定間隔を隔てて対向する一対の長板状部材で構成されており、それらの長板状部材の間に揺動アーム４１が配されている。揺動アーム４１の中央やや先端側（図９Ａの図面に向かって右側）よりの部位は、揺動アーム４１に設けられた孔及び支持部材４２を構成する一対の長板状部材の上部中央に設けられた孔に挿入されたピン４３を介して、上下方向に揺動可能に支持部材４２に連結されている。
【００３２】
上述したように、ワイヤーライン５０の一端は扉開閉装置３０の可動部３４ａの端部と連結されている。他方、ワイヤーライン５０の他端は、揺動アーム４１の後端部に設けられた孔４１ａに挿通して締結固定されることによって、揺動アーム４１と連結されている。
【００３３】
各ワイヤーライン５０は、図１及び図７に示すとおり、扉開閉装置３０の可動部３４ａの端部から、上面の柵ユニット１０の側端に位置する鉄線を経由して、扉停止装置４０の揺動アーム４１まで延びている。このワイヤーライン５０は、可動部３４ａが扉ユニット２０と平行した状態で静止しているとき、すなわち軸体３４ｂの下端が固定部３５によって回動不能に固定されているときに、図９Ａに示すように揺動アーム４１が水平方向に延びる状態を維持できる程度の長さを有している。
【００３４】
ワイヤーライン５０による牽引によって  図９Ａに示すように揺動アーム４１が水平方向に延びる状態が維持されている場合、この揺動アーム４１の先端部の上面が、スライド扉２１の溶接金網２１ａにおいて左右方向に延びる複数の鉄線のうちの一本の鉄線の下側に当接することによって、揺動アーム４１と当該鉄線が係合し、スライド扉２１がその自重により落下することなく静止した状態となる。このとき、設置者によってスライド扉２１が上方向にスライド移動されると、スライド扉２１の溶接金網２１ａの鉄線によって揺動アーム４１の先端部の下面が押し上げられ、図９Ｂに示すように揺動アーム４１の先端部が上方向（図面中の矢印方向）に揺動する。その後、設置者は、スライド扉２１が所望の高さに到達したときにスライド扉２１の上昇を止める。そうすると、揺動アーム４１の先端部の直上に位置する溶接金網２１ａの鉄線の下側により揺動アーム４１の先端部が押し下げられ、図９Ａに示すように揺動アーム４１が水平方向に延びる状態となり、スライド扉２１が静止した状態となる。上記の動作を繰り返すことによって、スライド扉２１の高さ位置の調節を段階的に行うことができる。
【００３５】
図１０は、開口部が開状態となっている場合において一方のスライド扉２１が最も低い位置にあるときの動物捕獲檻の構成を示す斜視図である。この場合、スライド扉２１の最上段に位置する鉄線の下端が揺動アーム４１の先端部によって支持されることによりスライド扉２１が停止している。設置者は、セッティング作業の際、スライド扉２１の最上段に位置する鉄線の下端が揺動アーム４１の先端部に到達するまでスライド扉２１を上昇させれば、図１０に示す位置でスライド扉２１を停止させることができる。その後、設置者がスライド扉２１を上方向にスライド移動させて揺動アーム４１の先端部を上方向に揺動させた上で、所望の位置でスライド移動を停止させて揺動アーム４１を水平方向に延びる状態に戻すことによって、スライド扉２１の高さ位置を確定させる。なお、このようにスライド扉２１の高さ位置を段階的に調節するのではなく、最初から所望の位置までスライド扉２１を上昇させて停止させることも可能である。
【００３６】
なお、動物捕獲檻１のセッティング作業においては、揺動アーム４１の先端部によって停止されたスライド扉２１が落下しないように、可動部３４ａの回動を確実に規制しておく必要がある。そのため、例えば可動部３４ａ及び第３板状部材３３のそれぞれの適宜の位置に貫通孔を設け、それらの貫通孔に棒状部材を挿通すること等によって、可動部３４ａを回動不能に固定しておくことが望ましい。この場合、セッティング作業終了後にこの棒状部材を抜き取ることにより、可動部３４ａを回動可能な状態にすることになる。
【００３７】
上述したように、本実施の形態の場合、セッティング作業において従来のようにスライド扉の下端が檻本体の上面に到達する位置まで一度に上昇させる必要がないため、作業負担を軽減することができる。そのため、腕力に乏しい者であっても、容易にセッティング作業を行うことができる。
【００３８】
また、本実施の形態においては、スライド扉２１の高さ位置を所望のものに設定することができる。換言すると、檻本体２の開口部の開口面積を所望の大きさに設定することができる。捕獲対象の動物の大きさ・動物捕獲檻の設置環境等によって、開口部の開口面積の適した大きさが異なる場合がある。本実施の形態では、スライド扉２１の高さ位置を複数設定することにより、開口部の開口面積の調節を行うことができるため、適した開口面積を容易に実現することができる。
【００３９】
次に、檻本体２内に動物が侵入した場合における動物捕獲檻１の動作について説明する。上述したセッティング作業が完了した後、檻本体２内に動物が侵入した場合、その動物は檻本体２内に設置されている仕掛けライン５１に触れてこれを引っ張ることになる。そうすると、図７及び図８における方向（ａ）に仕掛けライン５１が引っ張られ、これによりパイプ３６が方向（ａ）に移動する。その結果、回動機構３４の軸体３４ｂの下端がパイプ３６から外れ、軸体３４ｂの下端の固定が解除される。このように軸体３４ｂの下端の固定が解除されると、可動部３４ａの両端はワイヤーライン５０，５０によって互いに異なる方向（ｂ）及び（ｃ）に引っ張られているため、可動部３４ａが上面の柵ユニット１０と平行な方向に回動する。その結果、図１１に示すように揺動アーム４１の先端部がスライド扉２１の重みによって押し下げられ、揺動アーム４１とスライド扉２１の鉄線との係合状態が解除され、スライド扉２１がその自重により落下する。これにより、スライド扉２１が開口部を塞いで閉状態となり、動物を捕獲することができる。
【００４０】
（その他の実施の形態）
上述した実施の形態では、柵ユニット１０及び扉ユニット２０は、連結鉄筋線に連結コイル１２を巻き付けることで連結しているが、本発明はこれに限定されるものではない。例えば、各ユニットを連結することができるのであれば、ワイヤークリップ、シャックル、又はクランプ等を用いて連結されていてもよい。ここで、ワイヤークリップ、シャックル、又はクランプ等の場合は取り付ける際にねじ締め等の手順が必要となるが、本実施の形態のように連結コイルを用いる場合では、単純に連結鉄筋線に当該連結コイルを巻き付けるだけでよいため、他の方法と比較してより容易且つ短時間で組み立て又は分解を行うことができる。このため、各ユニットを連結するための連結部材としては、連結コイル等のような螺旋状のものを採用することが望ましい。
【００４１】
また、上述した実施の形態では、柵ユニット１０及び扉ユニット２０に、鉄線を組み合わせた溶接金網を用いているが、本発明はこれに限定されるものではない。例えば、溶接金網の代わりに、複数の鉄棒を配設した鉄柵等を用いるようにしてもよい。
【００４２】
また、上述した実施の形態では、檻本体２の両側面に開口部が設けられているが、一方の側面のみに開口部が設けられていてもよい。この場合、扉ユニット２０は１つのみとなり、可動部３４ａの一端部のみにワイヤーライン５０が連結される構成となる。
【産業上の利用可能性】
【００４３】
本発明の動物捕獲檻は、イノシシ等の動物を捕獲するための動物捕獲檻として有用である。
【符号の説明】
【００４４】
１    動物捕獲檻
２    檻本体
１０    柵ユニット
２０    扉ユニット
２１    スライド扉
２２    ガイド枠
２２ａ  支柱
２２ｂ  中間連結梁
２２ｃ  上端連結梁
２３    柵部
３０    扉開閉装置
３４    回動機構
３４ａ  可動部
３４ｂ  軸体
３５    固定部
３６    パイプ
４０    扉停止装置
４１    揺動アーム
４２    支持部材
４３    ピン
５０    ワイヤーライン
５１    仕掛けライン
【図１】
0006359997.tif 000002
【図２】
0006359997.tif 000003
【図３】
0006359997.tif 000004
【図４】
0006359997.tif 000005
【図５】
0006359997.tif 000006
【図６】
0006359997.tif 000007
【図７】
0006359997.tif 000008
【図８】
0006359997.tif 000009
【図９Ａ】
0006359997.tif 000010
【図９Ｂ】
0006359997.tif 000011
【図１０】
0006359997.tif 000012
【図１１】
0006359997.tif 000013